(57)【特許請求の範囲】
【請求項１】
ミラーと、
回転軸が固定されており、前記ミラーを保持する保持部材と、
軸嵌合部および回転軸遮蔽部を有し、前記軸嵌合部が前記回転軸に外挿される第１のカバー部材と、
前記第１のカバー部材が外挿された前記回転軸が回転可能に支持される支持部材と、
前記保持部材を駆動する駆動部材と、を備え、
前記第１のカバー部材は、前記支持部材に対して回転しないように取り付けられており、
前記回転軸遮蔽部は、円弧板形状を有し、前記回転軸遮蔽部が前記軸嵌合部と前記支持部材との間の隙間を遮蔽することを特徴とする撮像装置。
【請求項２】
前記保持部材には、前記回転軸と平行な支持軸が固定されており、
前記支持部材には、前記支持軸が貫通して挿入される穴が形成されており、
前記穴から突出している前記支持軸には、第２のカバー部材が前記穴を塞ぐように、前記支持軸に外挿されており、
前記第２のカバー部材から突出している前記支持軸には、ローラ部材が外挿されており、
前記駆動部材は駆動部材前記ローラ部材に当接することで前記保持部材を駆動することを特徴とする請求項１に記載の撮像装置。
【請求項３】
前記第２のカバー部材は表面に粘着性を有することを特徴とする請求項１または２に記載の撮像装置。
【請求項４】
前記第１のカバー部材に対向するように配置されるシャッタ地板を備え、
前記回転軸遮蔽部は、前記シャッタ地板に形成される切欠きに収容されることを特徴とする請求項１ないし３のいずれか１項に記載の撮像装置。
【発明の詳細な説明】
【技術分野】
【０００１】
本発明は、例えば一眼レフカメラ等の撮像装置に関する。
【背景技術】
【０００２】
デジタルカメラ等の撮像装置では、撮像素子の撮像面に塵埃等のゴミが付着すると、その付着部分が黒い点となって撮像画像に映り込み、画像の見栄えが低下する。
【０００３】
特にレンズ交換可能な一眼レフカメラでは、シャッタやミラー等の機械的な駆動部が撮像面の近傍に配置されており、駆動部で発生した摩耗粉やグリスを含む粘着性の高いゴミが撮像面やシャッタ幕などに付着するおそれがある。
【０００４】
撮像面にパトローネ形状の保護部材を備えることで、撮像面やシャッタ幕にゴミが付着することを防ぐ技術が提案されている（特許文献１）。
【先行技術文献】
【特許文献】
【０００５】
【特許文献１】特開２００３−１９８９１６号公報
【発明の概要】
【発明が解決しようとする課題】
【０００６】
しかし、上記特許文献１では、ミラーの駆動時には、保護部材が撮像面から退避している必要があるため、ミラーの駆動時にミラーの回転軸やミラーの駆動部から飛散するゴミが撮像面やシャッタ幕に付着するのを防ぐことができない。
【０００７】
そこで、本発明は、ミラーの回転動作時に発生したゴミがミラーより像面側の空間に飛散するのを防止して撮像面やシャッタ幕等にゴミが付着するのを防止することができる撮像装置を提供することを目的とする。
【課題を解決するための手段】
【０００８】
上記目的を達成するために、本発明の撮像装置は、ミラーと、回転軸が固定されており、前記ミラーを保持する保持部材と、軸嵌合部および回転軸遮蔽部を有し、前記軸嵌合部が前記回転軸に外挿される第１のカバー部材と、前記第１のカバー部材が外挿された前記回転軸が回転可能に支持される支持部材と、前記保持部材を駆動する駆動部材と、を備え、前記第１のカバー部材は前記支持部材に対して回転しないように取り付けられており、前記回転軸遮蔽部は、円弧板形状を有し、前記回転軸遮蔽部が前記軸嵌合部と前記支持部材との間の隙間を遮蔽することを特徴とする。
【発明の効果】
【０００９】
本発明によれば、ミラーの回転動作時に発生したゴミがミラーより像面側の空間に飛散するのを防止することができる。
【図面の簡単な説明】
【００１０】
【図１】本発明の撮像装置の第１の実施形態であるデジタル一眼レフカメラの概略断面図である。
【図２】ミラーユニットの駆動部を図１のＸ方向から見た図である。
【図３】（ａ）はミラーユニットが撮影光路に進入したミラーダウン状態を示す図、（ｂ）はミラーユニットが撮影光路から退避したミラーアップ状態を示す図、（ｃ）は、（ｂ）の状態で撮影動作後、再度、ミラーユニットが撮影光路に進入した状態を示す図である。
【図４】（ａ）はミラーユニット、回転軸、カバー部材、及び駆動部支持部材の分解斜視図、（ｂ）はカバー部材の拡大斜視図である。
【図５】（ａ）は回転軸に外挿されたカバー部材とシャッタ地板との位置関係を説明するための断面図、（ｂ）はシャッタ地板を背面側から見た図である。
【図６】駆動軸のカバー部材を説明するための分解斜視図である。
【図７】穴の幅Ｌとカバー部材の直径Ｄとの関係を説明する図である。
【図８】本発明の撮像装置の第２の実施形態であるデジタル一眼レフカメラにおいて、ミラーユニット、回転軸、カバー部材、及び駆動部支持部材の分解斜視図である。
【発明を実施するための形態】
【００１１】
以下、本発明の実施形態を図面を参照して説明する。
【００１２】
（第１の実施形態）
図１は、本発明の撮像装置の第１の実施形態であるデジタル一眼レフカメラの概略断面図である。なお、本実施形態では、説明の便宜上、図１の左方向をＺ方向、上方向をＹ方向、紙面奥方向をＸ方向として説明する。
【００１３】
図１に示すように、本実施形態のデジタル一眼レフカメラは、カメラ本体１にレンズ鏡筒１ａが着脱可能に装着される。また、カメラ本体１には、ミラーユニット１０が不図示のミラーボックスに対して回転可能に支持されている。ミラーユニット１０は、ハーフミラーからなるメインミラー１００と、メインミラー１００に対して回転可能に支持されるサブミラー２００とを有する。そして、ミラーユニット１０は、回転動作により、ファインダ観察時に、撮影光路内に進入（ミラーダウン）し、撮影時に、撮影光路から退避（ミラーアップ）する。
【００１４】
ミラーユニット１０のミラーダウン状態では、レンズ鏡筒１ａを通って撮影光路に進入した被写体の光束は、メインミラー１００で上方に反射する光束とメインミラー１００を透過する光束とに分かれる。
【００１５】
メインミラー１００で上方に反射した光束は、ペンタダハプリズム１４等を介して接眼レンズ１６及び測光装置１５に導かれ、メインミラー１００を透過した光束は、サブミラー２００で反射して下方に配置された焦点検出装置１１に導かれる。測光装置１５の出力信号に基づき、露光時の露出制御が行われ、焦点検出装置１１の出力音号に基づき、レンズ鏡筒１ａの駆動が制御される。
【００１６】
一方、ミラーユニット１０のミラーアップ状態では、レンズ鏡筒１ａを通過して撮影光路に進入した被写体の光束は、シャッタ地板５００、及びシャッタ幕１２を通過して撮像素子１３に結像する。撮像素子１３に結像した画像は、カメラ本体１の背面に設けられた不図示の表示装置に表示されるとともに、不図示の記録媒体に画像データとして記録される。
【００１７】
次に、図２を参照して、ミラーユニット１０の駆動部１２０について説明する。図２は、ミラーユニット１０の駆動部１２０を図１のＸ方向から見た図である。
【００１８】
図２に示すように、駆動部１２０は、ミラーユニット１０を撮影光路から退避させるアップレバー３０１、ミラーユニット１０を撮影光路に進入させるダウンレバー３０２、及び、ダウンレバー３０２に係合するフックレバー３０３を備える。アップレバー３０１及びダウンレバー３０２は、ねじ３００によりミラーボックスに対して同軸上で回転可能に支持されている。アップレバー３０１には、フックレバー３０３が回転可能に支持され、アップレバー３０１は、ばね部材３０４により図の反時計回り方向に付勢されている。
【００１９】
図３はミラーユニット１０と駆動部１２０との関係を示す図であり、図３（ａ）はミラーユニット１０が撮影光路に進入したミラーダウン状態を示す図、図３（ｂ）はミラーユニット１０が撮影光路から退避したミラーアップ状態を示す図である。図３（ｃ）は、図３（ｂ）の状態で撮影動作後、再度、ミラーユニット１０が撮影光路に進入した状態を示す図である。なお、図３においては、保持板１０２と駆動部１２０との間に配置される後述する駆動部支持部材１１３の図示は、省略している。
【００２０】
図３（ａ）に示すように、メインミラー１００は、ホルダ１０１に保持され、ホルダ１０１のＸ方向の両側には、それぞれ保持板１０２が固定されている。また、ホルダ１０１は、ばね部材３０５により図の反時計回り方向に付勢されている。ここで、保持板１０２は、本発明の保持部材の一例に相当する。
【００２１】
保持板１０２には、メインミラー１００の回転中心となる回転軸１１０が嵌合固定されると共に、駆動部１２０から駆動力が伝達される駆動軸１１４が回転軸１１０と平行に配置されるように固定されている。
【００２２】
サブミラー２００は、ホルダ２０１に保持され、ホルダ２０１は、保持板１０２に設けられた回転軸１０４を中心にメインミラー１００に対して回転可能とされている。また、ホルダ２０１は、ばね部材２０５により、図の反時計回り方向に付勢されている。
【００２３】
そして、図３（ａ）の状態では、アップレバー３０１は、不図示の駆動源によりばね部材３０４の付勢力に抗して時計回り方向に回転してばね部材３０４をチャージし、不図示の係止レバーがアップレバー３０１の曲げ部３０１ａに係止して停止している。
【００２４】
図３（ｂ）の状態では、撮影信号に基づき、係止レバーによるアップレバー３０１の曲げ部３０１ａの係止が解除され、アップレバー３０１がばね部材３０４の付勢力により図の反時計回り方向に回転する。ばね部材３０４は、ばね部材３０５より十分に付勢力が大きいため、フックレバー３０３と係合したダウンレバー３０２もアップレバー３０１と一体となって回転する。そして、ダウンレバー３０２が駆動軸１１４のローラ１１１を動作させて、ミラーユニット１０を撮影光路から退避させる。
【００２５】
図３（ｃ）の状態では、撮影完了信号に基づき、フックレバー３０３が図の時計回り方向に回転して、ダウンレバー３０２との係合が解除される。そして、ばね部材３０５の付勢力によりミラーユニット１０が図の反時計回り方向に回転して駆動軸１１４のローラ１１１によりダウンレバー３０２が押圧され、これにより、ダウンレバー３０２が図の時計回り方向に回転する。
【００２６】
その後、次の撮影の準備のため、アップレバー３０１をばね部材３０４の付勢力に抗して図の時計回り方向に回転させて、ばね部材３０４のチャージを行い、図３（ａ）の状態となる。
【００２７】
次に、図４を参照して、ホルダ１０１の保持板１０２に嵌合された回転軸１１０のカバー部材１０７について説明する。図４（ａ）はミラーユニット１０、回転軸１１０、カバー部材１０７、及び駆動部支持部材１１３の分解斜視図、図４（ｂ）はカバー部材１０７の拡大斜視図である。ここで、カバー部材１０７は、本発明の第１のカバー部材の一例に相当する。
【００２８】
図４に示すように、カバー部材１０７は、金属又は樹脂等で薄肉の略円筒形状に形成されており、軸嵌合部１０７ａ、及び回転軸遮蔽部１０７ｂを備える。軸嵌合部１０７ａは、円筒形状をなしており、回転軸１１０の外周部全周を覆うように回転軸１１０に対して回転可能に同軸に外挿される。回転軸遮蔽部１０７ｂは、円弧板形状をなしており、軸嵌合部１０７ａの駆動部支持部材１１３側の端部に一体に設けられる。
【００２９】
駆動部支持部材１１３は、ミラーユニット１０の保持板１０２と駆動部１２０との間に配置されており、回転軸遮蔽部１０７ｂの周方向の両側部には、駆動部支持部材１１３に当接してカバー部材１０７の回転を規制する回転止め部１０７ｃが設けられている。
【００３０】
ここで、カバー部材１０７の回転が規制された状態においては、回転軸遮蔽部１０７ｂは、シャッタ幕１２及び撮像素子１３側を向くように配置される。従って、ミラーユニット１０より像面側の空間、即ち、撮像面やシャッタ幕１２側の空間に対して、軸嵌合部１０７ａと駆動部支持部材１１３との間の隙間が回転軸遮蔽部１０７ｂにより遮蔽される。
【００３１】
これにより、ミラーユニット１０より像面側の空間と回転軸１１０との間が遮蔽されて、ミラーユニット１０の回転動作時に回転軸１１０で発生した摩耗粉等のゴミが撮像面やシャッタ幕１２側に飛散するのを防止することができる。なお、組み立てに際しては、保持板１０２に嵌合された回転軸１１０に軸嵌合部１０７ａを外挿した後、回転軸１１０を駆動部支持部材１１３に嵌め込む。
【００３２】
図５（ａ）は回転軸１１０に外挿されたカバー部材１０７とシャッタ地板５００との位置関係を説明するための断面図、図５（ｂ）はシャッタ地板５００を背面側から見た図である。
【００３３】
メインミラー１００は、カメラの小型化を図るためになるべくシャッタ地板５００側に配置することが望ましい。そのため、シャッタ地板５００にカバー部材１０７の一部である回転軸遮蔽部１０７ｂが収容される切欠き５０１を形成し、これにより、メインミラー１００の回転軸１１０をシャッタ地板５００側に寄せて配置することを可能にしている。なお、本実施形態では、回転軸１１０のカバー部材１０７をメインミラー１００の両側に配置しているが、必要に応じて、いずれか一方の側のみに配置してもよい。
【００３４】
次に、図５（ａ）及び図６を参照して、駆動軸１１４のカバー部材１０８について説明する。図６は、駆動軸１１４のカバー部材１０８を説明するための分解斜視図である。
【００３５】
図５（ａ）及び図６に示すように、保持板１０２には、支持軸１１２が回転軸１１０と平行になるように固定されており、支持軸１１２は、駆動部支持部材１１３に形成された穴１１３ａを貫通して駆動部１２０のダウンレバー３０２側に突出して配置されている。また、支持軸１１２の先端部は、小径部１１２ｂが形成されている。
【００３６】
支持軸１１２の小径部１１２ｂには、ローラ１１１より大径に形成された環状板状のカバー部材１０８が穴１１３ａを塞ぐように外挿される。その後、支持軸１１２の小径部１１２ｂにローラ１１１が回転可能に嵌合され、ローラ１１１と支持軸１１２の小径部１１２ｂの段差面１１２ａとの間にカバー部材１０８が軸方向に挟み込まれて駆動軸１１４を構成している。
【００３７】
図７は駆動部支持部材１１３に形成された穴１１３ａの幅Ｌとカバー部材１０８の直径Ｄとの関係を説明する図である。図７に示すように、カバー部材１０８の直径Ｄは穴１１３ａの幅Ｌよりも十分に大きい。これにより、ミラーユニット１０の回転動作時に保持板１０２等に付着したグリス等を含むゴミが飛散しても、飛散したゴミは、穴１１３ａの外側でカバー部材１０８により遮られてカバー部材１０８に付着する。したがって、飛散したグリス等を含むゴミが穴１１３ａの内側に侵入することを防ぐことができる。
【００３８】
また、カバー部材１０８は、ローラ１１１と同軸に回転可能になっているため、一定の領域にゴミが偏って付着することを防ぐことができる。なお、カバー部材１０８に両面テープ等を張り付けて表面に粘着性を持たせることで、飛散したゴミを吸着させるようにしてもよい。ここで、カバー部材１０８は、本発明の第２のカバー部材の一例に相当する。
【００３９】
以上説明したように、本実施形態では、ミラーユニット１０の回転動作時に発生したゴミがミラーユニット１０より像面側に配置される撮像素子１３の撮像面やシャッタ幕１２側に飛散するのを防止することができる。これにより、撮像素子１３の撮像面やシャッタ幕１２にゴミが付着するのを防止することができ、撮像画像へのゴミの映り込みやシャッタ幕１２の走行が阻害されるのを回避することができる。
【００４０】
（第２の実施形態）
次に、図８を参照して、本発明の撮像装置の第２の実施形態であるデジタル一眼レフカメラについて説明する。なお、上記第１の実施形態に対して重複する部分については、説明を省略し、符号を流用しつつ相違点についてのみ説明する。
【００４１】
本実施形態では、上記第１の実施形態（図４）のカバー部材１０７に代えてカバー部材１０７Ａを用いている。図８は、ミラーユニット１０、回転軸１１０、カバー部材１０７Ａ、及び駆動部支持部材１１３の分解斜視図である。
【００４２】
図８に示すように、カバー部材１０７Ａには、回転軸１１０の外周部に対応する凹形状部１０７ｄが形成され、凹形状部１０７ｄの図１のＹ方向の両側には、それぞれ位置決め穴１０７ｅが形成されている。
【００４３】
凹形状部１０７ｄは、シャッタ地板５００に形成された切欠き５０１に収容されており、カバー部材１０７Ａは、回転軸１１０、シャッタ地板５００、及びシャッタ幕１２と干渉しないようになっている。
【００４４】
そして、カバー部材１０７Ａの位置決め穴１０７ｅをシャッタ地板５００に形成した位置決め凸部５００ａに嵌め込んで位置決めし、この状態で、両面テープや接着剤などでカバー部材１０７Ａをシャッタ地板５００に固定する。
【００４５】
これにより、ミラーユニット１０の回転動作時に回転軸１１０で発生した摩耗粉等のゴミが撮像面やシャッタ幕１２側に飛散するのを防止することができる。なお、カバー部材１０７Ａとシャッタ地板５００の固定方法や位置決め方法については特に限定されない。その他の構成、及び作用効果は、上記第１の実施形態と同様である。
【００４６】
なお、本発明の構成は、上記各実施形態に例示したものに限定されるものではなく、材質、形状、寸法、形態、数、配置箇所等は、本発明の要旨を逸脱しない範囲において適宜変更可能である。
【符号の説明】
【００４７】
１２  シャッタ幕
１３  撮像素子
１０７  カバー部材
１０８  カバー部材
１１０  回転軸
１１３  保持板
１１４  駆動軸
１２０  駆動部
５００  シャッタ地板
【図１】
0005836622.tif 000002
【図２】
0005836622.tif 000003
【図３】
0005836622.tif 000004
【図４】
0005836622.tif 000005
【図５】
0005836622.tif 000006
【図６】
0005836622.tif 000007
【図７】
0005836622.tif 000008
【図８】
0005836622.tif 000009